(57)【要約】【課題】手提げ袋の意匠として、特定プロ野球チームのユニフォームの意匠を移し替えたものとすることにより、意外性のある意匠を表出することである。【解決手段】前面部２３と後面部２４、左右の襠部２５、２６、及び底面部からなる袋本体２１の開口部２８に提げ手２２を設けた手提げ袋において、前記各部に特定ユニフォームの地意匠を模した擬似地意匠４１を施し、前面部２３と後面部２４に前記ユニフォームのチーム名ロゴマークと背番号を模した擬似チーム名ロゴマーク４２と擬似背番号をそれぞれ表わした意匠とした。【選択図】図１
2005287962.tif 000002
【特許請求の範囲】
【請求項１】
前面部と後面部、それらの左右両側辺間に設けられた左右の襠部並びに前記前面部と後面部及び左右の襠部の下端辺間に設けられた底部からなり、前記前面部と後面部及び左右の襠部の上端辺で開口部を形成した収納具本体と、前記収納具本体に取付けられた取手等の携帯部からなる携帯収納具において、前記各部に特定の球技用ユニフォームの地意匠を模した擬似地意匠を施し、前記前面部と後面部に前記球技用ユニフォームのチーム名ロゴマークと背番号を模した擬似チーム名ロゴマークと擬似背番号をそれぞれ表わしたことを特徴とする携帯収納具。
【請求項２】
前記前面部の上端中央部から下端に至る所要範囲に前記球技用ユニフォームの前身頃の合わせ部と複数のボタンを模した擬似合わせ部と複数の擬似ボタンを設けたことを特徴とする請求項１に記載の携帯収納具。
【請求項３】
前記前面部の上端中央部に前記球技用ユニフォームの前襟ぐりを模した擬似前襟ぐりを設け、同様に該擬似前襟ぐりの両端からそれぞれ左右の襠部に至る傾斜状の擬似袖縫い目を設け、前記擬似前襟ぐりの中央部から底部に至る範囲に擬似合わせ部と複数の擬似ボタンを設けたことを特徴とする請求項１に記載の携帯収納具。
【請求項４】
前記前面部の擬似前襟ぐりとその両端間に球技用アンダーシャツの露出形状を模した擬似アンダーシャツ部を設けたことを特徴とする請求項１又は２に記載の携帯収納具。
【請求項５】
前記収納具本体を、所要の擬似地意匠を表わした各部の擬似地意匠パーツと、擬似チーム名ロゴマーク等の擬似装飾パーツを予め製作し、これらを縫合又は接合することにより製作したことを特徴とする請求項１から４のいずれかに記載の携帯収納具。
【請求項６】
前記収納具本体を、所要の擬似地意匠と擬似チーム名ロゴマーク等の擬似装飾部分とを印刷により表わした紙又は合成樹脂シートを用いて製作したことを特徴とする請求項１から４のいずれかに記載の携帯収納具。
【発明の詳細な説明】
【技術分野】
【０００１】
この発明は、手提げ用、肩掛け用のバッグ、鞄、袋等の携帯収納具に関するものである。
【背景技術】
【０００２】
プロ野球等の球技の観覧者において、応援するチームのチームカラーのシャツや帽子を着用したり、チームカラーのいわゆる応援グッズを所持したりすることが一般に行われている。特に、プロ野球の選手が着用するユニフォームは、そのチーム独特の意匠を持ったものであることから、その意匠に類似したシャツ、ズボン、帽子等が好んで着用される。また、野球場等で販売される人形等の着衣にもそのような意匠が採用されることが多い。
【０００３】
一方、手提げ用、肩掛け用のバッグ、鞄、袋等の携帯収納具に多様な意匠を施すことは従来周知のことであるが、その意匠は前記のユニフォームの意匠と何ら関係を持たないものであった（例えば、特許文献１）。これは、ユニフォームは着衣であることから、その意匠をシャツ等の着衣に転用することは通常に行われることがあっても、機能的にも形状的にも何らの共通性のない前記携帯収納具の意匠に転用することは従来行われていなかった。
【０００４】
即ち、前記の野球用ユニフォームの意匠は、着衣としての外観形状に、生地の色、柄等の地意匠、その地意匠の上にチーム名ロゴマーク、背番号、袖ワッペン等の装飾意匠を施したものであるのに対し、携帯収納具の本体の外観形状は、特許文献１に見られるごとく、扁平な長方体の袋であるから、後者の意匠に前者の意匠を転用することが意識されたとしても、せいぜいユニフォームの地意匠を袋本体の意匠に転用することに想到できる程度であると考えられる。
【特許文献１】特開２００２−１２０８５０号公報
【発明の開示】
【発明が解決しようとする課題】
【０００５】
野球用ユニフォームの特異な意匠としては、外観形状においては、前襟ぐりの部分、その部分から下方に形成された左右前身頃の合わせ部分、その合わせ部分に取付けられたボタンからなるのが一般的である。その外観形状の表面の地意匠としては、いわゆるチームカラーによる着色、あるいは縦縞等の模様がある。さらに、その地意匠の上に形成される装飾意匠としては、前身頃の胸部分に装着されるチーム名ロゴマークと胸番号、後身頃の背中部分に装着される背番号等である。袖部分にワッペン等を装着する場合もある。これらの意匠を手提げ袋等の携帯収納具に移し替えることが従来行われた事実は知らない。
【０００６】
即ち、野球等の球技用ユニフォームの特徴ある意匠の部分を、その特徴を失うことなく如何にして携帯収納具にバランスよく移し替えるかという課題があった。
【課題を解決するための手段】
【０００７】
本願の発明者は、球技用ユニフォーム上衣の胸部分を携帯収納具本体の前面部に対応させるとともに、背中部分を後面部に対応させ、さらに、そのユニフォームの左右の袖部を収納具本体の左右の襠部に対応させることにより、該ユニフォーム上衣の全体意匠を携帯収納具にバランス良く移し替えることができることに想到し、具体的に以下のような構成を得た。
【０００８】
即ち、前面部と後面部、それらの左右両側辺間に設けられた左右の襠部並びに前記前面部と後面部及び左右の襠部の下端辺間に設けられた底部からなり、前記前面部と後面部及び左右の襠部の上端辺で開口部を形成した収納具本体と、前記収納具本体に取付けられた取手等の携帯部からなる携帯収納具において、前記各部に特定の球技用ユニフォームの地意匠を模した擬似地意匠を施し、前記前面部と後面部に前記球技用ユニフォームのチーム名ロゴマークと背番号を模した擬似チーム名ロゴマークと擬似背番号をそれぞれ表わした構成とした。
【０００９】
具体的には、前記前面部の上端中央部から下端に至る所要範囲に前記球技用ユニフォームの前身頃の合わせ部と複数のボタンを模した擬似合わせ部と複数の擬似ボタンを設けた構成を採用することができる。さらに、前記前面部の上端中央部に前記球技用ユニフォームの前襟ぐりを模した擬似前襟ぐりを設け、同様に該擬似前襟ぐりの両端からそれぞれ左右の襠部に至る傾斜状の擬似袖縫い目を設け、前記擬似前襟ぐりの中央部から底部に至る範囲に擬似合わせ部と複数の擬似ボタンを設けた構成を採用することができる。また、前記前面部の擬似前襟ぐりとその両端間に球技用アンダーシャツの露出形状を模した擬似アンダーシャツ部を設けた構成を採用することもできる。これらの構成により一層ユニフォームの意匠に近似させることができる。
【００１０】
上記のような携帯収納具を布、合成シート、皮革を素材として製作する場合は、前記収納具本体を、所要の擬似地意匠を表わした各部の擬似地意匠パーツと、擬似チーム名ロゴマーク等の擬似装飾パーツを予め製作し、これらを縫合又は接合することにより製作することができる。
【００１１】
また、紙、合成樹脂シートを素材として製作する場合は、前記収納具本体を、所要の擬似地意匠と擬似チーム名ロゴマーク等の擬似装飾部分とを印刷により表わした紙又は合成樹脂シートを用いて製作することができる。
【発明の効果】
【００１２】
以上のように、この発明の携帯収納具は、野球等の球技用ユニフォームの意匠上の特徴部分である生地の地意匠を模した擬似地意匠の上に、前面部と後面部においては前記球技用ユニフォームのチーム名ロゴマークと背番号を模した擬似チーム名ロゴマークと擬似背番号等の擬似装飾意匠をそれぞれ表わしたことにより、当該ユニフォームの上衣の一部をそのまま移し替えたような意外性に富んだ意匠をもった携帯収納具を提供することができる。また、これを携行すると、当該球技チームのファンであることの無言の主張にもなることから、市場において購買意欲を刺激することができる。さらに、この携帯収納具を所要のパーツの縫合や接合によって製作すると一層ユニフォームの意匠に近似させることができるが、予め所要の意匠を印刷した紙等を素材として製作すれば、同様の効果をもった携帯収納具を安価に提供することができる。
【発明を実施するための最良の形態】
【００１３】
以下、添付図面に基づいてこの発明の実施の形態を説明する。図１から図６は実施形態の布製手提げ袋を示している。図７及び図８はその手提げ袋の意匠の原形となる野球用ユニフォームの上衣である。先ず、図７及び図８に基づいてユニフォームの上衣の意匠を説明する。この上衣の外観意匠は、左右の前身頃１、２、後身頃３、左右の袖４、５を有し、左右の前身頃１、２と後身頃３の肩部に左右の袖４、５を縫着し、各前身頃１、２と後身頃３とを腋下縫い目１７で縫合したものである。
【００１４】
各前身頃１、２と各袖４、５及び後身頃３の上端縁により襟ぐり６が形成される。左右の前身頃１、２の合わせ部７にボタン８が所要数取付けられる。また、各前身頃１、２と袖４、５の前袖縫い目９、９が、襟ぐり６前部の左右２箇所から左右の腋下縫い目１７にかけて斜めに形成される。また、後身頃３と袖４、５を縫合する後袖縫い目１０、１０（図８参照）が、襟ぐり６後部の左右２箇所から左右の腋下縫い目１７に渡り斜めに形成される。
【００１５】
また、上記の上衣を構成する布生地に、例えば図示のような白地に黒の縦縞模様を表した地意匠１１を施し、また左右の前見頃１、２の胸部分にチーム名ロゴマーク１２、胸番号１３が縫着又は熱接着される。後身頃３の背中部分には選手の名前を表わした名前ロゴマーク１４及び背番号１５が縫着又は熱接着される。前身頃１，２と袖４、５の前後の袖縫い目９、１０において、前記の縦縞模様は、その端部が突き合うように柄合わせがされている。なお、前記の左袖４にチームの標章を表わした袖ワッペン１６が縫着又は熱接着されている。
【００１６】
次に、図１から図５に基づいて実施形態の手提げ袋を説明する。この提げ袋は、袋本体２１と一対の提げ手２２からなる（「袋本体」は特許請求の範囲でいう「収納具本体」の下位概念であり、また同様に「提げ手」は「携帯部」の下位概念である。以下同様）。袋本体２１は、扁平な長方体であり、前面部２３、後面部２４、左右の襠部２５、２６及び底面部２７（図２参照）からなる。前面部２３、後面部２４及び左右の襠部２５、２６により開口２８が形成される。開口２８の内周面に前記提げ手２２の下端部が縫着され、その縫着部を隠すため、及び開口２８の補強のために帯布３０が縫着される。
【００１７】
前面部２３は、前記ユニフォーム上衣の前後身頃１，２の上半分と前袖縫い目９、９及び袖４，５の前面部の外観意匠を模したものであり、上端辺中央部に前記ユニフォーム上衣の襟ぐり６の喉元部分を模した擬似襟ぐり２９を設けている（ここに「擬似」というのは、ユニフォーム上衣の当該部分を模した、又は当該部分に似せたという意味である。以下同様。）。前記の擬似襟ぐり２９の両端からそれぞれ左右の襠部２５、２６に至る傾斜状の擬似前袖縫い目３１、３１が形成される。また、前記擬似襟ぐり２９の中央部から底面部２７に至る範囲に擬似合わせ部３２と複数の擬似ボタン３３を設けている。擬似合わせ部３２は、図１のように、部分的に設けてもよいが、前面部２３の下端まで、全長にわたり設けてもよい。
【００１８】
前記の擬似襟ぐり２９の部分は開口２８を形成する前面部２３の上端辺の中央部において円弧状に凹入した形状となる。そのままでも凹入量が比較的浅いので収納具としての機能的な問題はないが、この実施形態においては擬似襟ぐり２９とその両端間に存在する凹入部分に三日月状の擬似アンダーシャツ部３５を縫着することにより、凹入部分を解消するとともに、ユニフォームを着用した際に襟ぐり６（図７参照）の喉元部分に現れるアンダーシャツの一部に似せている。
【００１９】
後面部２４は、図２に示したように、ユニフォーム上衣の後身頃３の上半部と後袖縫い目１０及び袖４，５の後面部の外観意匠を模したものである。前記擬似前袖縫い目３１、３１と同じ位置の開口部２８上に上端を有する擬似後袖縫い目３４、３４が左右の襠部２５、２６に傾斜状に設けられる。擬似前袖縫い目３１と擬似後袖縫い目３４の下端は左右の襠部２５、２５において一定の角度をもって突き合う。
【００２０】
左右の襠部２５、２６は、前記ユニフォーム上衣の左右側面を形成する袖４、５の側面、前身頃１、２と後身頃３の腋下縫い目１７、その腋下縫い目１７の上端においてＹ字形に突き合った前記の前袖縫い目９と後袖縫い目１０の外観意匠を模したものである。即ち、前記の擬似前袖縫い目３１と擬似後袖縫い目３４下端の突き合わせ部分に擬似腋下縫い目３８によりＹ字形の縫い目が形成される。また、一方の襠部２５にポケット３６を設けている。このポケット３６は携帯電話機の収納部として利用され得る。
【００２１】
袋本体２１は以上のような外観意匠であり、その上に次のような意匠が施される。即ち、各部を構成する布生地には白地に縦縞模様からなる擬似地意匠４１が形成されるとともに、前面部２３に擬似チーム名ロゴマーク４２、擬似胸番号４３が縫着又は熱接着により取付けられる。また、後面部２４には擬似名前ロゴマーク４４、擬似背番号４５、また、ポケット３６に擬似袖ワッペン４６が同様に取付けられる。前記の擬似地意匠４１を形成する縦縞模様は、擬似前袖縫い目３１と擬似後袖縫い目３４においてそれぞれ柄合わせが行われている。
【００２２】
なお、前面部２３と後面部２４の各両側辺と襠部２５、２６の境界をなすコーナ部分に突条５６を折り曲げにより形成し、その立ち上がり部分に縫い目５７を形成することにより、立体感を保持するようになっている。
【００２３】
次に、前記袋本体２１の構成パーツについて説明する。図３に示したように、全体として長方形に形成された表生地４８、同様の大きさ形状の裏生地４９を基本パーツとしている。表生地４８の４コーナ部に斜めの切り落し辺５１が形成され、また、一方の端縁において左右の切り落し辺５１の端部間に前記の擬似襟ぐり２９が形成される。その擬似襟ぐり２９の中間部に前記の擬似合わせ部３２及び擬似ボタン３３が設けられる。
【００２４】
前記の切り落し辺５１に三角形パーツ５２が縫着され、これにより表生地４８を長方形に形成している。三角形パーツ５２の擬似襟ぐり２９側の２箇所の縫着線が前記の擬似前袖縫い目３１となり、他方の２箇所の縫い目が擬似後袖縫い目３４となる。
【００２５】
また、前記の擬似襟ぐり２９の部分に三日月形パーツ５３が縫着され前記の擬似アンダーシャツ部３５を形成する。前記表生地４８と三角形パーツ５２には擬似地意匠４１が形成される。また、表生地４８の前記擬似襟ぐり２９に近い部分に擬似チーム名ロゴマーク４２及び擬似胸番号４３が縫着されるとともに、反対側端部に近い部分に擬似名前ロゴマーク４４と擬似背番号４５が縫着される。裏生地４９には感熱性の接着剤がコーティングされており、表生地４８に対して加熱接着により接合一体化される。なお、その他のパーツとして、帯布３０が開口部２８の半分の長さのものが２本用意される。
【００２６】
裏生地４９が一体化された表生地４８を二つ折りして前面部２３、後面部２４及び底面部２７を形成し、その左右両側部に襠部２５、２６を形成して袋を縫製することは周知の技術であるが、底面部２７と襠部２５の作り方を図４（a）（ｂ）に示している。図４（ａ）は裏生地４９を表にして二つ折にし、左右両側辺を擬似腋下縫い目３８により縫着し、折り曲げ部に近い部分の縫着を残し、その部分を左右に拡げ（同図矢印参照）、その広げた部分を同図（ｂ）に示したように縫い目５５によりＴ字形に縫製して襠部２５と底面部２７を作成する。
【００２７】
このようにして縫製した袋本体２１の開口部２８に図５に示した提げ手２２を取り付け、さらに帯布３０、ポケット３６を縫着する。
【００２８】
また、図６に示したように、前面部２３に斜めに長い収納部３７を縫着し、応援グッズ等を収納できるようにしてもよい。図示を省略しているが襠部２６にも応援グッズ等の収納部を設けてもよい。
【００２９】
以上述べた実施形態は、布製のものであるが、図９は紙製又は合成樹脂シート製の手提げ袋を示す。この場合は素材シートに予め前述したユニフォーム上衣の外観意匠（擬似襟ぐり２９、擬似前後袖縫い目３１、３４、擬似合わせ部３２、擬似ボタン３３、擬似アンダーシャツ部３５等）と、擬似地意匠４１、擬似チーム名ロゴマーク４２、擬似胸番号４３、擬似名前ロゴマーク４４、擬似背番号４５等を印刷により形成し、その素材シートを常法どおりの折り曲げと接着とにより袋本体２１を構成し、提げ手２２を取付けたものである。
【００３０】
図１０及び図１１は手提げバックの場合であり、この場合は前面部２３の上端辺の位置をユニフォーム上衣の襟ぐり６（図７参照）より若干低い位置に定めている。従って、前記のような擬似襟ぐり２９は表れていない。左右の幅も小さいので、擬似前袖縫い目９も表れていない。開口部２８は上面部５８により閉塞され、その上面部５８にファスナー５９が取付けられる。その他の構成は前述の場合と同様である。
【００３１】
なお、肩掛けバック等の肩掛け式収納具の場合は、前述の提げ手２２に替えて肩掛けバンドが襠部２５，２６に取付けられる。
【図面の簡単な説明】
【００３２】
【図１】実施形態の前面側の斜視図
【図２】同上の後面側の斜視図
【図３】同上の構成パーツを示した分解斜視図
【図４】（ａ）同上の縫製途中の一部斜視図（ｂ）同上の縫製途中の一部斜視図
【図５】同上の分解斜視図
【図６】同上の一部変形した斜視図
【図７】野球用ユニフォームの上衣の前面側の斜視図
【図８】同上の後面側の斜視図
【図９】紙製手提げ袋の斜視図
【図１０】手提げバッグの前面側の斜視図
【図１１】同上の後面側の斜視図
【符号の説明】
【００３３】
１、２  前身頃
３  後身頃
４、５  袖
６  襟ぐり
７  合わせ部
８  ボタン
９  前袖縫い目
１０  後袖縫い目
１１  地意匠
１２  チーム名ロゴマーク
１３  胸番号
１４  名前ロゴマーク
１５  背番号
１６  袖ワッペン
１７  腋下縫い目
２１  袋本体
２２  提げ手
２３  前面部
２４  後面部
２５、２６  襠部
２７  底面部
２８  開口部
２９  擬似襟ぐり
３０  帯布
３１  擬似前袖縫い目
３２  擬似合わせ部
３３  擬似ボタン
３４  擬似後袖縫い目
３５  擬似アンダーシャツ部
３６  ポケット
３８  擬似腋下縫い目
４１  擬似地意匠
４２  擬似チーム名ロゴマーク
４３  擬似胸番号
４４  擬似名前ロゴマーク
４５  擬似背番号
４６  擬似袖ワッペン
４８  表生地
４９  裏生地
５１  切り落し辺
５２  三角形パーツ
５３  三日月形パーツ
５４、５５  縫い目
５６  突条
５７  縫い目
５８  上面部
５９  ファスナー
【図１】
2005287962.tif 000003
【図２】
2005287962.tif 000004
【図３】
2005287962.tif 000005
【図４】
2005287962.tif 000006
【図５】
2005287962.tif 000007
【図６】
2005287962.tif 000008
【図７】
2005287962.tif 000009
【図８】
2005287962.tif 000010
【図９】
2005287962.tif 000011
【図１０】
2005287962.tif 000012
【図１１】
2005287962.tif 000013